(57)【要約】【課題】他人による不正利用等に対するセキュリティを強化することができる携帯端末、その制御方法及びプログラムを提供することを目的とする。【解決手段】個人認証機能を有する携帯端末において、個人認証を定期的に実行することを特徴とする携帯端末、その制御方法及びプログラムである。なお、前記個人認証を実行する際に、前記携帯端末がアプリケーションまたは通信を実行中である場合には、当該アプリケーションまたは当該通信の実行終了後に前記個人認証を実行する。【選択図】図１
2008022395.tif 000002
【特許請求の範囲】
【請求項１】
個人認証機能を有する携帯端末において、
個人認証を定期的に実行することを特徴とする携帯端末。
【請求項２】
前記個人認証を実行する際に、前記携帯端末がアプリケーションまたは通信を実行中である場合には、当該アプリケーションまたは当該通信の実行終了後に前記個人認証を実行することを特徴とする請求項１に記載の携帯端末。
【請求項３】
前記個人認証の実行時に有効に認証ができなかった場合には、ダイヤルロックを設定することを特徴とする請求項１または請求項２に記載の携帯端末。
【請求項４】
前記個人認証の実行時に所定時間内に有効に認証ができなかった場合には、ダイヤルロックを設定することを特徴とする請求項１または請求項２に記載の携帯端末。
【請求項５】
前記個人認証機能は、異なる複数の認証方法を備え、
前記個人認証の実行時には、前記複数の認証方法のうちから１または２以上の認証方法をランダムに選択し、当該選択した認証方法で個人認証を実行することを特徴とする請求項１乃至請求項４のいずれか１項に記載の携帯端末。
【請求項６】
前記異なる複数の認証方法は、指紋認証、顔認証、網膜認証、虹彩認証、血管認証、声紋認証、筆跡認証、ＤＮＡ認証、ユーザ名とパスワードとの組み合わせ認証、パスワード認証、暗証番号認証のうちの少なくとも２の認証方法であることを特徴とする請求項５に記載の携帯端末。
【請求項７】
個人認証機能を有する携帯端末の制御方法において、
個人認証を定期的に実行することを特徴とする携帯端末の制御方法。
【請求項８】
前記個人認証を実行する際に、前記携帯端末がアプリケーションまたは通信を実行中である場合には、当該アプリケーションまたは当該通信の実行終了後に前記個人認証を実行することを特徴とする請求項７に記載の携帯端末の制御方法。
【請求項９】
前記個人認証の実行時に有効に認証ができなかった場合には、ダイヤルロックを設定することを特徴とする請求項７または請求項８に記載の携帯端末の制御方法。
【請求項１０】
前記個人認証の実行時に所定時間内に有効に認証ができなかった場合には、ダイヤルロックを設定することを特徴とする請求項７または請求項８に記載の携帯端末の制御方法。
【請求項１１】
前記個人認証機能は、異なる複数の認証方法を備え、
前記個人認証の実行時には、前記複数の認証方法のうちから１または２以上の認証方法をランダムに選択し、当該選択した認証方法で個人認証を実行することを特徴とする請求項７乃至請求項１０のいずれか１項に記載の携帯端末の制御方法。
【請求項１２】
前記異なる複数の認証方法は、指紋認証、顔認証、網膜認証、虹彩認証、血管認証、声紋認証、筆跡認証、ＤＮＡ認証、ユーザ名とパスワードとの組み合わせ認証、パスワード認証、暗証番号認証のうちの少なくとも２の認証方法であることを特徴とする請求項１１に記載の携帯端末の制御方法。
【請求項１３】
請求項７乃至請求項１２のいずれか１項に記載の携帯端末の制御方法を携帯端末のコンピュータに実行させることを特徴とするプログラム。
【発明の詳細な説明】
【技術分野】
【０００１】
本発明は、指紋認証、顔認証等の個人認証機能を有する携帯電話機、ＰＤＡ等の携帯端末、その制御方法及びプログラムに関する。
【背景技術】
【０００２】
最近では、電話番号やメールアドレスを含む電話帳、メールの本文等の秘匿性の高い情報を保護するために、ダイヤルキー操作を無効にするダイヤルロック機能（キー操作防止機能）が搭載されている携帯電話機が多数存在する。また、ダイヤルロック設定中におけるダイヤルロックの解除手段として個人認証が利用されている。個人認証としては、暗証番号による認証、指紋認証、顔認証等が用いられている。
【０００３】
例えば、特許文献１には、複数の個人認証方法から選択された少なくとも１つの個人認証方法を予め記憶しておき、記憶された個人認証方法を用いて使用者の個人認証を行う個人認証機能付き携帯電話機が開示されている。
【０００４】
これらの携帯電話機においてダイヤルロック設定中に通信機能等を使用する場合には、使用者が個人認証を行い、ダイヤルロックを解除した後に使用する。
【０００５】
このように、携帯電話機を使用しない場合にはダイヤルロックを設定し、携帯電話機の使用開始時においては個人認証を行うことによって、携帯電話機に記憶されている各種情報の漏洩を防止することができる。
【０００６】
ところで、携帯電話機の所有者が使用開始時に個人認証を行いダイヤルロックを解除した後に、その所有者以外の人が携帯電話機を借りて長時間使用するような場合においては、その所有者がダイヤルロックを設定することができずに、携帯電話機の各種情報が漏洩することが考えられる。
【０００７】
また、携帯電話機の所有者が使用開始時に個人認証を行いダイヤルロックを解除した後に、その所有者が携帯電話を置き忘れたような場合においては、その所有者がダイヤルロックを設定することができずに、携帯電話機の各種情報が漏洩することが考えられる。
【０００８】
つまり、ダイヤルロック機能が搭載されている携帯電話機であっても、秘匿性の高い情報の漏洩が考えられる。そこで、ダイヤルロック機能が搭載されている携帯電話機であっても、他人による不正利用等に対するセキュリティをさらに強化することが重要である。
【０００９】
【特許文献１】特開２００４−８００８０号公報
【発明の開示】
【発明が解決しようとする課題】
【００１０】
本発明は、上記で示した点に鑑みてなされたものであり、他人による不正利用等に対するセキュリティを強化することができる携帯端末、その制御方法及びプログラムを提供することを目的とする。
【課題を解決するための手段】
【００１１】
本発明は、個人認証機能を有する携帯端末において、個人認証を定期的に実行することを特徴とする携帯端末、その制御方法及びプログラムである。
【００１２】
なお、前記個人認証を実行する際に、前記携帯端末がアプリケーションまたは通信を実行中である場合には、当該アプリケーションまたは当該通信の実行終了後に前記個人認証を実行する。
【００１３】
また、前記個人認証の実行時に有効に認証ができなかった場合、または、前記個人認証の実行時に所定時間内に有効に認証ができなかった場合には、ダイヤルロックを設定する。
【００１４】
また、前記個人認証機能は、異なる複数の認証方法を備え、前記個人認証の実行時には、前記複数の認証方法のうちから１または２以上の認証方法をランダムに選択し、当該選択した認証方法で個人認証を実行する。
【００１５】
なお、前記異なる複数の認証方法は、指紋認証、顔認証、網膜認証、虹彩認証、血管認証、声紋認証、筆跡認証、ＤＮＡ認証、ユーザ名とパスワードとの組み合わせ認証、パスワード認証、暗証番号認証のうちの少なくとも２の認証方法である。
【発明の効果】
【００１６】
本発明によれば、個人認証機能が搭載されている携帯端末において、他人による不正利用等に対するセキュリティを強化することができるという効果を奏する。
【発明を実施するための最良の形態】
【００１７】
以下に、本発明の実施の形態である携帯端末について、図面を参照して詳細に説明する。
【００１８】
［第１の実施の形態］
図１は、本発明の第１の実施の形態である携帯端末１００の外観を示す正面図である。
【００１９】
携帯端末１００は、ヒンジ部１１１を介して連結された上側筐体１００ａと下側筐体１００ｂとから構成され、ヒンジ部１１１を介して上側筐体１００ａと下側筐体１００ｂとの折り畳みが可能な携帯電話である。
【００２０】
上側筐体１００ａには、カメラ１０６及び表示部１０７が備えられ、下側筐体１００ｂには、操作部１０８及び指紋認証ユニット１１０が備えられている。
【００２１】
また、携帯端末１００は、ダイヤルキー操作を無効にするダイヤルロック機能（キー操作防止機能）と、個人認証機能とを有する。なお、個人認証機能が備える個人認証方法として、生体情報（バイオメトリクス情報）を利用する生体認証（バイオメトリクス認証）を使用する。具体的には、指紋認証と顔認証とを使用する。また、ダイヤルロックを解除する場合には、有効な個人認証を実行する必要がある。
【００２２】
図２は、携帯端末１００の内部構成を示すブロック図である。
携帯端末１００は、ＣＰＵ１０１と、無線処理部１０２と、表示制御部１０３と、音声制御部１０４と、記憶部１０５と、カメラ１０６と、表示部１０７と、操作部１０８と、タイマ部１０９と、指紋認証部１１０とを有する。
【００２３】
ＣＰＵ１０１は、記憶部１０５に記憶されている制御プログラムに基づいて、携帯端末１００の各部を制御するものである。無線処理部１０２は、例えばＷ−ＣＤＭＡ方式等で携帯電話網を利用した無線通信を実行するものである。
【００２４】
表示制御部１０３は、表示部１０７に表示する表示画面を生成するものである。音声制御部１０４は、マイクやスピーカを含み、入力された音声を通信可能なデータに変換し、携帯電話網から受信したデータを音声に変換するものである。
【００２５】
記憶部１０５は、ユーザの指紋認証または顔認証に用いる画像データ、認証アプリケーション、各種の制御プログラム等を格納するものである。カメラ１０６は、顔認証を実行する場合にユーザの顔画像を撮影するカメラである。
【００２６】
表示部１０７は、例えばＬＣＤで構成される表示ユニットである。操作部１０８は、テンキーや方向キーを含み、携帯端末１００のユーザからの入力を受け付けるものである。
【００２７】
タイマ部１０９は、カレンダー機能を有し、日時の計時を行うものである。指紋認証部１１０は、ＣＣＤラインセンサー等でユーザの指紋画像を撮影するものである。
【００２８】
次に、携帯端末１００の動作について説明する。
図３は、携帯端末１００の制御動作を示すフローチャートである。
【００２９】
最初に、携帯端末１００において、個人認証の認証方法と認証間隔とを設定する。具体的には、操作部１０８において、ユーザの操作によって、個人認証を行う間隔を予め指定し、指定した認証間隔の時間を記憶部１０５に保存する。認証間隔は、例えば、１時間毎、１日毎、毎週月曜日等と適宜設定する。また、個人認証として、指紋認証を行うか顔認証を行うかを選択し、選択した認証方法を記憶部１０５に保存する。
【００３０】
ダイヤルロックが解除された場合や携帯端末１００の電源がオンされた場合、タイマ部１０９が時間の計時を開始する（Ｓ３１）。続いて、タイマ部１０９が計時した時間が、設定された認証間隔の時間に達したか否かを判定し（Ｓ３２）、認証間隔の時間に達していなければ、認証間隔に達するまで待機する（Ｓ３２）。
【００３１】
設定された認証間隔の時間に達した場合には、携帯端末１００が待受動作中か否かを判定する（Ｓ３３）。待受動作中とは、携帯端末１００がアプリケーションまたは通話（通信）を実行中ではない状態である。つまり、携帯端末１００がアプリケーションまたは通話（通信）の実行時には認証を行わない。
【００３２】
携帯端末１００が待受動作中である場合には（Ｓ３３）、表示部１０７に認証画面を表示する（Ｓ３４）。例えば、指紋認証を行う場合には、認証画面として「指紋認証部１１０に使用者の指紋を触れて指紋認証を行って下さい」と表示する。一方、携帯端末１００が待受動作中でない場合には、アプリケーションまたは通話（通信）の処理が終了するまで待機する（Ｓ３３）。
【００３３】
表示部１０７に認証画面を表示した後に（Ｓ３４）、認証結果が一致した場合には（Ｓ３５）、ユーザが各種機能を使用することができるようにする（Ｓ３６）。なお、ダイヤルロックが設定されている場合には、ダイヤルロックを解除する（Ｓ３６）。
【００３４】
例えば、指紋認証を行う場合において、認証画面の表示後（Ｓ３４）、ユーザが指紋認証部１１０に指紋を触れた場合には、指紋認証部１１０が撮影した指紋画像と、記憶部１０５に記憶されているユーザの指紋の画像とを比較し、両者が一致した場合（一致する割合が一定の基準以上に達した場合）には（Ｓ３５）、認証結果が有効であると判断する。
【００３５】
続いて、タイマ部１０９の計時時間をリセットし（Ｓ３７）、ステップＳ３１に戻る。
【００３６】
一方、表示部１０７に認証画面を表示した後に（Ｓ３４）、認証結果が一致しない場合には（Ｓ３５）、ダイヤルロックを設定する（Ｓ３８）。なお、ダイヤルロックが設定された後に、何等かのキー操作があった場合には、個人認証を求める画面を表示部１０７に再度表示し、この認証結果が一致した場合には、ダイヤルロックを解除し、ユーザが各種機能を使用することができるようにする。
【００３７】
以上で示したように、ユーザが携帯端末１００を利用する場合において、前回の認証実行時から認証期間が過ぎていなければ、通常通りに携帯端末１００を利用することができる。一方、前回の認証実行時から認証期間が過ぎていれば、表示部１０７に認証画面が表示されているので、認証画面に表示されている個人認証を行う必要がある（Ｓ３５）。
【００３８】
第１の実施の形態によれば、個人認証機能を有する携帯端末１００において、個人認証を定期的に実行するので、ダイヤルロックの設定忘れを防止し、他人による不正利用等に対するセキュリティを強化することができる。
【００３９】
また、第１の実施の形態では、認証方法として、指紋認証と顔認証とを使用するが、指紋認証、網膜認証、虹彩認証、血管認証、声紋認証（音声認証）、筆跡認証、ＤＮＡ認証、ユーザ名とパスワードとの組み合わせ認証、パスワード認証、暗証番号認証等の他の認証方法を使用するようにしてもよい。また、個人認証の実行時において２以上の異なる認証方法を順次実行するようにしてもよい。
【００４０】
［第２の実施の形態］
図４は、本発明の第２の実施の形態である携帯端末の制御動作を示すフローチャートである。
【００４１】
第２の実施の形態に係る携帯端末の構成は、携帯端末１００の構成と同様である。
【００４２】
ステップＳ４１〜Ｓ４３の各処理は、図３に示すステップＳ３１〜Ｓ３３の処理と同様である。また、ステップＳ４５〜Ｓ４９の各処理は、図３に示すステップＳ３４〜Ｓ３８の処理と同様である。このため、これら各ステップの説明を省略する。
【００４３】
第２の実施の形態は、認証間隔のみを予め設定しておき、個人認証の認証方法を個人認証の実行時にランダムに決定する実施の形態である。
【００４４】
具体的には、携帯端末１００が待受動作中である場合には（Ｓ４３）、個人認証機能が備える個人認証方法である指紋認証と顔認証とのうちから１の認証方法をランダムに選択し（Ｓ４４）、選択した認証方法で個人認証を実行する。
【００４５】
第２の実施の形態によれば、個人認証機能を有する携帯端末１００において、複数の個人認証方法のうちから１の認証方法をランダムに選択し、選択した認証方法で個人認証を定期的に実行するので、ダイヤルロックの設定忘れを防止し、他人による不正利用等に対するセキュリティをさらに強化することができる。例えば、顔認証を顔写真等で詐称しようとする場合や、指紋を詐称しようとする場合であっても、個人認証の実行時毎に異なる認証方法を求められる可能性が高いので、これらの詐称を防止し、セキュリティを強化することができる。
【００４６】
また、第２の実施の形態では、認証方法として、指紋認証と顔認証とを使用するが、指紋認証、網膜認証、虹彩認証、血管認証、声紋認証（音声認証）、筆跡認証、ＤＮＡ認証、ユーザ名とパスワードとの組み合わせ認証、パスワード認証、暗証番号認証等の他の認証方法を使用するようにしてもよい。また、個人認証機能が３以上の個人認証方法を備えるようにして、個人認証の実行時においては２以上の認証方法をランダムに選択し、選択した２以上の異なる認証方法を順次実行するようにしてもよい。
【００４７】
なお、各実施の形態では、個人認証を定期的に実行するが、例えば、昼間は１時間毎、夜は２時間毎等のように、変則的な設定を行うようにしてもよい。
【００４８】
また、携帯端末１００の認証画面の表示にユーザが長時間気付かないような場合が考えられる。このような場合においては、個人認証の実行時に所定時間内（例えば、１０分間）に有効に認証ができなかった場合に、ダイヤルロックを設定するようにしてもよい。
【００４９】
なお、上記各実施の形態をプログラムの発明として把握することができる。
つまり、上記各実施の形態で示した制御動作に係るプログラムを記憶媒体に記憶させ、この記憶媒体から当該プログラムを読み出し、読み出したプログラムを携帯端末のコンピュータに実行させることで、本発明を実現することができる。
【産業上の利用可能性】
【００５０】
個人認証機能を有するＰＤＡ等の携帯端末、パソコン等の情報処理装置等の各種装置に本発明を活用することができる。
【図面の簡単な説明】
【００５１】
【図１】携帯端末１００の外観を示す正面図。
【図２】携帯端末１００の内部構成を示すブロック図。
【図３】携帯端末１００の制御動作を示すフローチャート。
【図４】第２の実施の形態である携帯端末の制御動作を示すフローチャート。
【符号の説明】
【００５２】
１００……携帯端末、
１００ａ……上側筐体、
１００ｂ……下側筐体、
１０１……ＣＰＵ、
１０２……無線処理部、
１０３……表示制御部、
１０４……音声制御部、
１０５……記憶部、
１０６……カメラ、
１０７……表示部、
１０８……操作部、
１０９……タイマ部、
１１０……指紋認証部、
１１１……ヒンジ部。
【図１】
2008022395.tif 000003
【図２】
2008022395.tif 000004
【図３】
2008022395.tif 000005
【図４】
2008022395.tif 000006